(57)【特許請求の範囲】
【請求項１】
扉に、主シリンダ錠付きハンドルレバーの操作で上下スライド式の掛け金をロック，解除位置に移動させる主ロック機構、および扉前面に併設した補助シリンダ錠の施錠で前記掛け金をロック位置に係止する補助ロック機構を備えた自動販売機の扉ロック装置において、前記の補助ロック機構に対し、補助シリンダ錠の解錠操作によりロック解除位置に後退したスライド式の補助ロック板をその解除位置に一時的に拘束保持して補助シリンダ錠からキーの抜き取りを許容するとともに、主ロック機構のロック解除操作に従動して補助ロック板の拘束保持を釈放し、扉を閉めると自動で補助ロックが掛かるように作動するストッパ手段を備えたことを特徴とする自動販売機の扉ロック装置。
【請求項２】
請求項１記載の扉ロック装置において、補助ロック機構のストッパ手段として、一端を主ロック機構に連繋し、他端をその下方に位置する補助ロック板に対向させた上下可動式のストッパ片を設けるとともに、補助ロック板にはロック解除位置で前記ストッパと係合し合う段差部、および補助ロック板をロック位置に向けて駆動する付勢ばねを備えたことを特徴とする自動販売機の扉ロック装置。
【発明の詳細な説明】
【０００１】
【発明の属する技術分野】
本発明は、自動販売機の扉を閉位置にロックする扉ロック装置に関する。
【０００２】
【従来の技術】
自動販売機の扉ロック装置として、図３に示すような構成のものが周知である。図において、１は自動販売機の本体ケース、２は本体ケース１の前面に配した扉、３が扉ロック装置であり、この扉ロック装置３は本体ケース１の前縁に取付けた受け金４（受け金４は上下数箇所に分散して設けてあり、受け金の前部には上向きのテーパーガイドが形成されている）と、該受け金４に対向して扉２の内側に設けた上下スライド式の掛け金５と、シリンダ錠７と組合せて扉前面に設けたハンドルレバー６とからなる。ここで、掛け金５は上下に長いチャンネル材で受け金５との対応箇所に受け金４に係合する角穴５１が開口している。また、レバー６と掛け金５との間がリンク６１などを介して連繋されている。
【０００３】
かかる構成で、扉２を閉じると掛け金５が受け金４の溝に係合し、この状態でキー７１を使ってシリンダ錠７を施錠すると扉２がロックされる。また、扉２を開ける場合にはキー７１でシリンダ錠７を解錠した後、ハンドル操作でレバー６を開放位置に回すと、これに従動して掛け金５が上方にスライドして受け金４との係合が解除されて扉２を自由に開くことができる。なお、扉２を閉じる際に、シリンダ錠７を先に施錠してから扉２を押し込んでも自動的に掛け金５が受け金４に係合して扉ロックの状態となる。
【０００４】
一方、自動販売機の防犯対策として、前記の扉ロック装置に補助錠を追加装備して防盗機能を高めるようにした二重ロック方式の扉ロック装置が、特開平７−１４１５５５号公報などで公知である。
【０００５】
次に、補助錠を併用した二重ロック式扉ロック装置の従来例の構造を図２(a),(b) に示す。すなわち、掛け金５，ハンドルレバー６，主シリンダ錠７を組合せたロック機構を主ロック機構として、扉には補助ロック機構８が追加装備されている。この補助ロック機構８は、扉板の裏面側に固定した取付金８ａに、扉の前面に鍵穴が開口する補助シリンダ錠８ｂ，補助シリンダ錠８ｂの後端に結合したカム８ｃ，およびスライド式の補助ロック板８ｄが装着されており、補助ロック板８ｄに開口した角穴８ｄ-1に前記カム８ｃの先端爪部が係合している。
【０００６】
かかる構成で、図２(a) に示す扉ロックの状態では、主シリンダ錠７，および補助シリンダ錠８ａが施錠されており、掛け金５に穿孔した係合角穴５ａにはレバー６に連結したカム６ａが、また別な係合角穴５ｂには補助ロック板８ｄの先端が嵌まり込んで二重にロックされている。
【０００７】
一方、商品収納ラックへの商品補充などで扉を開くために扉ロックを外す場合には、最初にキーを使って主シリンダ錠７を解錠し、レバー６がハンドル操作できる状態にする。続いてキーを補助シリンダ錠８ｂの鍵穴に差し込んで解錠方向に回す。これにより、補助シリンダ錠８ｂに連結したカム８ｃが時計方向に回動し、これに従動して補助ロック板８ｄがロック解除位置に向け左側にスライド移動して掛け金５の係合角穴５ｂから抜け出す。この状態でレバー６を下向きにハンドル操作すると掛け金５がカム６ａを介して上方に引き上げられ、図３で述べたように本体ケース側の受け金４（図３参照）との係合が外れて扉が自由に開けられるようになる。また、扉を閉じてロックする場合には、前記と逆な手順で主シリンダ錠７，および補助シリンダ錠８ｂを施錠する。
なお、補助シリンダ錠８ｂは、施錠の忘れを防ぐために施錠位置ではキーが抜けるが、解錠位置ではキーが抜けないようにした錠が一般に使われている。
【０００８】
【発明が解決しようとする課題】
ところで、前記した従来例の二重錠式扉ロック装置では、キーの取扱い面で次のような問題がある。
すなわち、図２の構成で補助ロック機構８をロック解除して扉を開くには、図２(a) で示すように補助シリンダ錠８ｂをキー操作により解錠して補助ロック板８ｄをロック解除位置に保持しておく必要があり、そのために補助シリンダ錠８ｂのキーは差し込んだまま抜けない状態になる。
【０００９】
一方、自動販売機ではキー管理の煩わしさを避けるために、主シリンダ錠７と補助シリンダ錠８ｂを同じキーで解錠，施錠できるようにしている場合が多く、また、自動販売機を管理するルートマンは紐，チェーンなどでキーを体に結び付けてキーの置き忘れ，紛失を防ぐようにしていることが多い。
【００１０】
このために、ルートマンがキーを使って扉ロックを解除した後、扉を開いて庫内側で商品補充などの作業を行う場合には、体に結び付けているキーを補助シリンダ錠８ｂから抜き取る必要があるが、補助シリンダ錠８ｂからキーを抜き取るには扉ロックを解除する際に一旦解錠した補助シリンダ錠を、扉を開いた状態で施錠位置に戻さなければならない。
【００１１】
そのために、庫内作業の終了後に扉を閉じて扉ロックする際には、施錠状態に戻してある補助シリンダ錠８ｂに再度キーを差し込んで解錠操作し、ロック位置に突き出している補助ロック板８ｄを一旦ロック解除位置に後退させてから扉を閉じた後、改めて補助シリンダ錠８ｂを施錠操作する二度手間が必要となる。
【００１２】
本発明は上記の点に鑑みなされたものであり、補助シリンダ錠のキー操作は扉を開く際に一度行うだけで済み、ロック解除後はキーを抜いても補助ロック機構がロック解除の状態に保持され、作業終了後に扉を閉じると自動的に補助ロックが掛かるようにしてキー操作，および取扱性を簡便化した二重ロック方式の自動販売機の扉ロック装置を提供することを目的とする。
【００１３】
【課題を解決するための手段】
上記目的を達成するために、本発明によれば、扉に、主シリンダ錠付きハンドルレバーの操作で掛け金をロック，解除位置に移動させる主ロック機構、および補助シリンダ錠の施錠で前記掛け金をロック位置に係止する補助ロック機構を備えた自動販売機の扉ロック装置において、
前記の補助ロック機構に対し、補助シリンダ錠の解錠操作によりロック解除位置に後退したスライド式の補助ロック板をその解除位置に一時的に拘束保持して補助シリンダ錠からキーの抜き取りを許容するとともに、主ロック機構のロック解除操作に従動して補助ロック板の拘束保持を釈放し、扉を閉めると自動で補助ロックが掛かるように作動するストッパ手段を備える（請求項１）ものとし、具体的には前記ストッパ手段は、一端を主ロック機構に連繋し、他端をその下方に位置する補助ロック板に対向させた上下可動式のストッパ片を設けるとともに、補助ロック板にはロック解除の移動位置で前記ストッパに係合する段差部、および補助ロック板をロック位置に向けて駆動する付勢ばねを備えた構成とする（請求項２）。
【００１４】
上記構成において、扉を開ける際に、キー操作により補助シリンダ錠を解錠してその補助ロック板をロック解除位置に後退移動させると、ストッパ片が作動して補助ロック板の段差部に係合し、補助ロック板をロック解除位置に拘束保持する。この状態では、補助シリンダ錠に差し込んであるキーを施錠位置に戻して引き抜いても、補助ロック板はロック解除位置に保持されたままの状態を保っている。次いで、主ロック機構のハンドルレバーを操作して掛け金をロック解除位置に引き上げると、この動きに連動してストッパ片が補助ロック板の段差部から抜け出して補助ロック板の拘束保持が解除される。なお、この状態になると補助ロック板がばね付勢を受けて掛け金に向けて駆動されるが、掛け金は既にロック解除位置に移動しているので補助ロック板が掛け金に係合することはない。そして、扉を開放して庫内作業を行った後、扉を閉じて主ロック機構の掛け金をロック位置に戻すと、この主ロック機構の動きに連動して補助ロック板が付勢ばねの駆動により掛け金に係合して自動的に補助ロックが掛かるようになる。
【００１５】
したがって、扉の開け，閉めに伴う補助シリンダ錠のキー操作は一度で済み、従来例の構造のように扉のロック解除後に補助シリンダ錠から抜いた場合でも、扉を閉じる際に改めて補助シリンダ錠をキー操作する二度手間が不要であり、これによりキーの取扱い，操作が簡便となる。
【００１６】
【発明の実施の形態】
以下、本発明の実施の形態を図１(a) 〜(c) の実施例に基づいて説明する。なお、実施例の図中で図２に対応する部材には同じ符号を付してその説明は省略する。
【００１７】
この実施例の構成では、図２に示した従来の補助ロック機構８と比べて次の点が相違する。すなわち、補助シリンダ錠８ｂに連結したカム８ｃと係合し合うように補助ロック板８ｄに開口した角穴８ｄ-1が図２の角穴に比べて横幅が拡大されており、かつ補助ロック板８ｄは付勢ばね（引っ張りばね）８ｅにより掛け金５に向けて付勢されている。また、補助ロック板８ｄは上縁側に形成した段差部８ｄ-2に対向してその上方には逆Ｌ字形のストッパ片９が配置されており、該ストッパ片９はその長穴に嵌合したガイドピン９ａを介して補助ロック機構８の取付金８ａに上下可動に案内支持されている。さらに、ストッパ片９の上部先端が掛け金５に開口した角穴５ｃに遊嵌している。
【００１８】
かかる構成で、図１(a) に示す扉ロック状態では、主シリンダ錠７，および補助シリンダ錠８ｂが共に施錠されており、本体ケースの受け金に係合した掛け金５に対して、その角穴５ａにはハンドルレバー６のカム６ａが入り込み、また補助ロック機構８の補助ロック板８ｄの先端が付勢ばね８ｅのばね力によりに右方に駆動されて角穴５ｂに嵌まり込んでいる。これにより、図２(a) と同様に扉が二重にロックされる。なお、この状態ではストッパ片９が補助ロック板８ｄに対し図示の位置に担持されている。
【００１９】
一方、扉ロックを外して扉を開放する際に、補助シリンダ錠８ｂにキーを差し込んで解錠操作すると、図１(b) のように補助ロック板８ｄがばね８ｅに抗して左側にスライド移動して先端が掛け金５の角穴５ｂから抜け出すと同時に、ストッパ片９が自重で補助ロック板８ｄの段差部８ｄ-2に落ち込んで、補助ロック板８ｄをこの位置に拘束保持する。したがって、この状態では補助ロック板８ｄをロック解除位置に拘束保持したまま、補助シリンダ錠８ｂに差し込んであるキーを図示の鎖線で表す解錠位置に回し戻した上で錠から自由に抜きとることが可能である。
【００２０】
次いで、主シリンダ錠７を解錠し、扉のロックを解除するようにハンドルレバー６を操作して図１(c) のように掛け金５を上方に引き上げると、掛け金５の動きに従動してストッパ片９が上方に持ち上げられ、その下端が補助ロック板８ｄの段差部８ｄ-2から上方に抜け出て拘束保持状態を解除する。この状態になると、補助ロック板８ｄは付勢ばね８ｅのばね力を受けて右側に駆動されるが、この時点では既に掛け金５が上方にスライドしてその角穴５ｂも上位に移動しているので、補助ロック板８ｄはその先端が角穴５ｂには入らずに掛け金５の側面に突き当たってその位置に停止する。したがって、この状態になれば、扉を自由を自由に開くことができる。なお、補助シリンダ錠８ｂは図１(b) の状態でキーを抜き取る際のキー操作で施錠位置に戻っている。
【００２１】
そして、庫内側での作業が終了して後に扉を閉じ、ハンドルレバー６をリッセトして掛け金５を本体ケースの受け金と係合する位置に下げると、補助ロック板８ｄの先端と掛け金５の角穴５ｂとが向かい合うようになるので、付勢ばね８ｅのばね力を受けて補助ロック板８ｄの先端が角穴５ｂに入り込んで自動的に補助ロックが掛かるようになる。
【００２２】
上記の操作手順から判るように、扉の開け，閉めに際しての補助シリンダ錠８ｄのキー操作は一度で済み、図２で述べた従来構造のように扉を閉じる際に改めて補助シリンダ錠をキー操作する必要がない。
【００２３】
なお、図示実施例では、ストッパ片９の上端を掛け金５の角穴５ｃに嵌入して主ロック機構と連繋しているが、他の応用実施例として、ストッパ片９の上端を主ロック機構の部品であるハンドルレバー６のカム６ａに連結し、掛け金５の引き上げ時にストッパ片９を同時に引き上げて補助ロック板８ｄの拘束保持を釈放するようにすることもできる。
【００２４】
【発明の効果】
以上述べたように、本発明の構成によれば、自動販売機の扉に主錠，および補助錠を備えた二重ロック方式の扉ロック装置において、扉を開け，閉めする際には補助シリンダのキー操作を扉のロック解除時に一度行うだけで済み、ロック解除後はキーを抜き取ったままでも扉を閉じると自動的に補助ロックが掛かるよう構成したことにより、扉を開け，閉めごとに補助錠のキー操作を要する従来構造の扉ロック装置と比べてキーの操作，取扱性の大幅な改善が図れる。
【図面の簡単な説明】
【図１】本発明の実施例による扉ロック装置の構造，並びに動作の説明図であり、(a) は扉ロックの状態，(b) は補助ロック機構のロック解除状態，(c) は主ロック機構のロック解除状態を表す正面図
【図２】従来例の二重ロック方式扉ロック装置の構造，動作の説明図であり、(a) は扉ロックの状態，(b) は補助ロック機構のロック解錠状態を表す正面図
【図３】補助錠なしの従来における自動販売機の扉ロック装置の構成斜視図
【符号の説明】
１    本体ケース
２    扉
４    受け金
５    掛け金
６    ハンドルレバー
７    主シリンダ錠
８    補助ロック機構
８ｂ  補助シリンダ錠
８ｃ  カム
８ｄ  補助ロック板
８ｄ-2  段差部
８ｅ  付勢ばね
９    ストッパ片
【図１】
0003692839.tif 000002
【図２】
0003692839.tif 000003
【図３】
0003692839.tif 000004